(57)【要約】      （修正有）【課題】足踏み式エア抜き充填機を提供する。【解決手段】支持フレーム１１に足踏み板２が枢着され、足踏み板の底面に、二つのプッシャー枢着部２２が設けられ、本体内に、二つのポンプ３があり、各ポンプの底面に逆方向に並列されるチュック弁３２があり、その底面に通気孔３２０が設けられ、各ポンプの下方に、吸気管３３と排気管３４に対応するチュック弁が設けられ、二つの吸気管の間に吸気分岐管３５により連通され、また、二つの排気管の間に排気分岐管３６により連通され、吸気分岐管に吸気外管４が接続され、排気分岐管にエア充填外管５が接続され、足踏み板を踏むことにより、足踏み板と本体の支持フレームとが枢着される部位を軸として、両端が上下動揺し、同時に二つのポンプ内のピストンが連動されて、交互に、上下作動し、また、チュック弁が設置されるため、連続的にエア抜きやエア充填が実現される。【選択図】図１
2009287535.tif 000002
【特許請求の範囲】
【請求項１】
上方の中央に、枢軸部を有する支持フレームが設けられる本体と、
本体の上方に枢着され、本体の支持フレームの枢軸部に枢着される枢軸があり、また、底面に、二つのプッシャー枢着部がある足踏み板と、
本体内に設置され、ともに、ピストンがあり、ピストンに、本体から露出するプッシャーが設けられ、プッシャーの上端に、足踏み板のプッシャー枢着部に枢着される枢軸があり、底面に、ともに、逆方向に並列される二つのチュック弁が設けられ、下方に、それぞれ、チュック弁に対応する吸気管と排気管が設けられ、二つの吸気管の間に、吸気分岐管により連通され、二つの排気管の間に、排気分岐管により連通される二つのポンプと、
ポンプの吸気分岐管に接続される吸気外管と、
ポンプの排気分岐管に接続されるエア充填外管と、
が含有される、
ことを特徴とする足踏み式エア抜き充填機。
【発明の詳細な説明】
【技術分野】
【０００１】
本発明は、足踏み式エア抜き充填機に関し、特に、連続的にエア充填やエア抜きに適用される足踏み式エア抜き充填機に関する。
【背景技術】
【０００２】
一般に、エア充填を必要とするものは、例えば、浮き袋やエア充填パッド、タイヤ、風船、エア充填式幼児水遊びプール及び他の球類等であり、その大部分は、空気入れポンプで、エアを充填することが必要であり、従来のエア充填装置は、エアを、ものに充填するだけで、吸気することができないため、エア抜きに利用できなく、また、一般のエア抜き装置（例えば、食べ物の鮮度を保持するための真空装置や搾乳機或いはサクション装置等）は、電源を必要し、電源を必要しない装置では、連続的に且つ安定的なエア抜き力を提供できず、戸外での使用が、不便になり、また、一つだけの機能を実現できるが、エア抜きとエア充填を両立できなく、そのため、ユーザーが、エア充填設備を購入して、エア充填し、また、他に各種類の製品に応じて、エア抜き充填機を購入しなければならなく、余計にお金を掛かるだけでなく、その保管に、空間を取り、また、適当に保管しないと、使用する時、直ちに、それを手にすることができなく、そのため、既存のものは、実用とは言えない。
【発明の開示】
【発明が解決しようとする課題】
【０００３】
本発明の主な目的は、電源を要らなく、連続的にエア充填やエア抜きできる足踏み式エア抜き充填機を提供する。
【課題を解決するための手段】
【０００４】
本発明の主な特徴は、上方の中央に、枢軸部を有する支持フレームが設けられる本体と、本体の上方に枢着され、本体の支持フレームの枢軸部に枢着される枢軸があり、また、底面に、二つのプッシャー枢着部がある足踏み板と、本体内に設置され、ともに、ピストンがあり、ピストンに、本体から露出するプッシャーが設けられ、プッシャーの上端に、足踏み板のプッシャー枢着部に枢着される枢軸があり、底面に、ともに、逆方向に並列される二つのチュック弁が設けられ、下方に、それぞれ、チュック弁に対応する吸気管と排気管が設けられ、二つの吸気管の間に、吸気分岐管により連通され、二つの排気管の間に、排気分岐管により連通される二つのポンプと、ポンプの吸気分岐管に接続される吸気外管と、ポンプの排気分岐管に接続されるエア充填外管と、が含有される。
【発明を実施するための最良の形態】
【０００５】
以下、図面を参照しながら、より良い実施例を挙げて、本発明の上記の目的や効果、そして、採用する技術手段について、詳しく説明する。
【０００６】
図１と図２を参照しながら、本発明は、
上方の中央に、枢軸部１１０を有する支持フレーム１１が設けられる本体１と、
本体１の上方に枢着され、中央に、本体１の支持フレーム１１の枢軸部１１０に枢着される枢軸２１があり、また、底面に、二つのプッシャー枢着部２２がある足踏み板２と、
本体２内に設置され、ともに、ピストン３１があり、ピストン３１に、本体１から露出するプッシャー３１０が設けられ、プッシャー３１０の上端に、足踏み板２の底面にあるプッシャー枢着部２２に枢着される枢軸３１１があり、底面に、ともに、逆方向に並列される二つのチュック弁３２が設けられ、各チュック弁３２の底面に、通気孔３２０が設けられ、通気孔３２０のに、弁片３２１が覆われ、底面において、正方向に設置されたチュック弁３２の下方に、通気孔３２０に対応して、それぞれ、吸気管３３が伸び、また、底面におてい、逆方向に設置されたチュック弁３２の通気孔３２０に面する一端のもう一端に、それぞれ、排気管３４が伸び、また、前記の二つの吸気管３３が、本体１内において、吸気分岐管３５により連通され、前記の二つの排気管３４が、排気分岐管３６により連通される二つのポンプ３と、
ポンプ３の吸気分岐管３５に接続される吸気外管４と、
ポンプ３の排気分岐管３６に接続されるエア充填外管５と、
が含有される。
【０００７】
上記の構造により、足踏み板２と本体１支持フレーム１１とが枢着する部位を軸として、上記足踏み板２の両端が、上下に動揺でき、使用する時、ユーザーが、足で足踏み板２を前後に踏んで、足踏み板２が、枢着する部位を軸として、動揺し、また、動揺しながら、二つのポンプ３内のピストン３１が連動されて、交互に上下に動揺し、また、チュック弁３２が設置されることにより、連続的にエア抜きやエア充填を行うことができる。
【０００８】
エア抜きの時、図３と図４のように、まず、吸着ノズルＡを、吸気外管４の外端に嵌設し、また、吸着ノズルＡを、エア抜きの対象（例えば、鼻水吸引器やサクション装置、吸盤付きボウル、豊胸器、食物保鮮エア抜き筒等）に嵌設し、足踏み板２を踏むと、足踏み板２が動揺し、同時に、二つのポンプ３内のピストン３１が、連動されて、交互に上下に動揺し、該動揺により、足踏み板２が上昇した一側（例えば、足のひら部位や踵部分）により、底面にあるプッシャー３１０とピストン３１が上へ引き上げられ、吸気状態になり、それは、プッシャー３１０が、足踏み板２に連動されて、上へ引きあがれる同時に、ピストン３１が上へ変位し、この時、吸引力が発生して、正方向に設置されたチュック弁３２内の弁片３２１が開かれ、空気が、吸気外管４の外端の吸着ノズルＡに接続される吸気管３３から吸入され、即ち、吸気作用が発生し、また、該吸引力により、鼻水や痰或いは乳汁等が吸引される。上記のように、ユーザーが、足踏み板２を踏むだけで、二つのポンプ３の交互作動により、持続的に、吸気外管４を利用してエア抜きを作動し、また、エア抜きのスピードや効果が向上される。
【０００９】
エア充填の時、図５と図６のように、まず、ノズルＢを、エア充填外管５の外端に嵌設し、また、ノズルＢを、エア充填の対象（例えば、浮き袋やエア充填玩具、足踏み車輪（タイヤ）、球類、救命ブイ、ゴムボート等）のエア充填口に嵌設し、同様に、足踏み板２を踏むことにより、足踏み板２が、動揺しながら、二つのポンプ３内のピストン３１が連動されて、交互に、上下に作動し、該動揺する足踏み板２が下へ変位した一側（例えば、踵部分）により、底面のプッシャー３１０とピストン３１が連動されて、下へ押され、これにより、ポンプ３内の空気が、通気孔３２０から、弁片３２１を押して、排気管３４に送られ、また、ユーザーの足（例えば、足のひら部位）が、足踏み板２を踏んで、もう一側が下へ押される時、その底面のもう一つのポンプ３のプッシャー３１０とピストン３１が下へ押され、これにより、空気が、排気管３４から押し出され、そのため、交互作動により、空気が、持続的に、エア充填外管５を介して、エア充填の対象内に充填され、エア充填のスピードと効果效果が向上される。
【００１０】
そのため、本発明は、より進歩的かつより実用的で、法に従って特許請求を出願する。
【００１１】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００１２】
【図１】本発明の構造概念図（１）
【図２】本発明の構造概念図（２）
【図３】本発明の吸気操作状態の概念図（１）
【図４】本発明の吸気操作状態の概念図（２）
【図５】本発明のエア充填操作状態の概念図（１）
【図６】本発明のエア充填操作状態の概念図（２）
【符号の説明】
【００１３】
１      本体
１１   
支持フレーム
１１０  枢軸部
２      足踏み板
２１   
枢軸
２２   
プッシャー枢着部
３      ポンプ
３１   
ピストン
３１０  プッシャー
３１１  枢軸
３２    チュック弁
３２０  通気孔
３２１  弁片
３３    吸気管
３４    排気管
３５    吸気分岐管
３６   
排気分岐管
４      吸気外管
５      エア充填外管
Ａ      吸着ノズル
Ｂ      ノズル
【図１】
2009287535.tif 000003
【図２】
2009287535.tif 000004
【図３】
2009287535.tif 000005
【図４】
2009287535.tif 000006
【図５】
2009287535.tif 000007
【図６】
2009287535.tif 000008